(57)【要約】      （修正有）【課題】鞄等の移動走行に際して騒音や振動を発生することなく、静かな移動走行を実現する緩衝体支持構造を備えたキャスターを提供する。【解決手段】支軸に対し回転自在に取付けられるキャスターヘッド３と、前記キャスターヘッドに対し緩衝手段４を介して回転可能に軸支される車輪５とを有するキャスター１を構成する。前記緩衝手段４は、キャスターヘッド３と一定形成した中空状の収納部４１を備え、前記収納部の側壁には縦長な長孔４１ａを設け、前記長孔には車輪が固定される車軸５ａを、当該長孔に沿って昇降可能な状態で挿通するとともに、前記収納部内には前記車軸を上下方向から支承する上部及び下部弾性部材４３、４４を収納した。【選択図】図２
0003176328.tif 000002
【実用新案登録請求の範囲】
【請求項１】
支軸に対し回転自在に取付けられるキャスターヘッドと、前記キャスターヘッドに対し緩衝手段を介して回転可能に軸支される車輪とを有するキャスターであって、前記緩衝手段は、キャスターヘッドと一定形成した中空状の収納部を備え、前記収納部の側壁には縦長な長孔を設け、前記長孔には車輪が固定される車軸を、当該長孔に沿って昇降可能な状態で挿通するとともに、前記収納部内には前記車軸を上下方向から支承する上部及び下部弾性部材を収納したことを特徴とするキャスター。
【請求項２】
前記収納部内には、車軸が回転可能に挿通されるガイド部材を、長孔に沿って昇降可能な状態で収納し、前記ガイド部材を上部及び下部弾性部材により上下方向から支承するようにしたことを特徴とする請求項１に記載のキャスター。
【請求項３】
前記ガイド部材には、上部及び下部弾性部材が固定される固定部を設けたことを特徴とする請求項２に記載のキャスター。
【考案の詳細な説明】
【技術分野】
【０００１】
本考案は、スーツケースやキャリーバッグ等（以下、鞄等という）に使用されるキャスターに関し、特に鞄等の移動走行に際して発生する騒音や振動を防ぐことが可能なキャスターの構造に関する。
【背景技術】
【０００２】
鞄等においては、移動が容易にできるように鞄等のボディ底面にキャスターが取付けられている。鞄等を移動走行させるには、キャスターは有効な手段であるが、移動走行に際して床面や路面の凹凸等により振動し、それに伴い騒音が発生する問題を抱えている。キャスターの車輪を柔軟な材料とし、騒音を防ぐことも考えられるが、車輪の耐久性が低下する等の問題があり、多くは強度のある硬質材料を用いるため、騒音の発生は避けられない。
【０００３】
このような問題を解決するために、例えば、特許文献１のようなキャスターが開示されている。即ち、特許文献１に記載のキャスターは、脚柱にベアリングを介して回転自在に固定される車輪受けと、前記車輪受けに軸着した車輪とを備えるとともに、前記車輪は、車輪受けの側壁に設けた長孔に貫通した車軸に取付けられ、かつ、車軸を上方から押さえつけるように内装したコイルばねにて弾力支持され、上下方向の振動をコイルばねにて吸収する構造となっている。
【先行技術文献】
【特許文献】
【０００４】
【特許文献１】実開平２−５１９０３号公報
【考案の概要】
【考案が解決しようとする課題】
【０００５】
然るに、特許文献１に記載のキャスターにおいては、車輪が段差等に乗り上げると、当該車輪を取付けた車軸は車輪受けの側壁に設けた長孔に沿って上昇し、コイルばねに受け止められることにより振動を吸収することができるものの、車輪が段差等を乗り越え、コイルばねの弾性力により下方へ付勢されて元の位置に復帰する際に、車軸が長孔の底面に勢いよく衝突して騒音が発生するという問題があった。また、車軸とコイルばねとが常時接触しているため、車輪が回転する際に摺接音が発生するという問題もあった。
【０００６】
本考案は前記の問題点に鑑み、鞄等の移動走行に際して騒音や振動を発生することなく、静かな移動走行を実現するキャスターの提供を目的とする。
【課題を解決するための手段】
【０００７】
前記の課題を解決するために、本考案は、支軸に対し回転自在に取付けられるキャスターヘッドと、前記キャスターヘッドに対し緩衝手段を介して回転可能に軸支される車輪とを有するキャスターであって、前記緩衝手段は、キャスターヘッドと一定形成した中空状の収納部を備え、前記収納部の側壁には縦長な長孔を設け、前記長孔には車輪が固定される車軸を、当該長孔に沿って昇降可能な状態で挿通するとともに、前記収納部内には前記車軸を上下方向から支承する上部及び下部弾性部材を収納した。
【０００８】
また、収納部内には、車軸が回転可能に挿通されるガイド部材を、長孔に沿って昇降可能な状態で収納し、前記ガイド部材を上部及び下部弾性部材により上下方向から支承するようにした。
【０００９】
更に、ガイド部材には、上部及び下部弾性部材が固定される固定部を設けた。
【考案の効果】
【００１０】
本考案によれば、キャスターヘッドと一体形成した収納部の側壁に縦長な長孔を設け、この長孔には車輪が固定される車軸を、当該長孔に沿って昇降可能な状態で挿通するとともに、前記車軸を上部及び下部弾性部材により上下方向から支承するようにしたので、車輪が段差等に乗り上げたときは、前記段差等の高さ寸法だけ収納部に設けた長孔に沿って上動する車軸を上部弾性部材により緩衝的に受け止めて振動を吸収し、前記振動が鞄等に伝播するのを良好に防ぐことができるとともに、車輪が段差等を乗り越えたときは、上部弾性部材の弾性力により下方へ付勢される車軸を下部弾性部材により緩衝的に受け止め、前記車軸と収納部の長孔底面とが衝突して騒音が発生するのを防ぐことができる。
【００１１】
また、車輪が固定される車軸は、上部及び下部弾性部材により上下方向から支承されるガイド部材に回転可能な状態で挿通されているので、車軸に上部及び下部弾性部材が直接接触することがなく、この結果、車軸と上部及び下部弾性部材の接触により移動走行の際に摺接音が発生するのを防ぐことができる。しかも、ガイド部材には、上部及び下部弾性部材が固定される固定部を設けたので、前記ガイド部材は、上部及び下部弾性部材により左右方向への揺動を防いだ状態で支承されることとなる結果、ガイド部材に挿通した車軸に固定される車輪が移動走行中に揺動するのを防ぐことも可能である。
【図面の簡単な説明】
【００１２】
【図１】本考案におけるキャスターの模式的な側面断面図である。
【図２】図１のＸ−Ｘ線における模式的な断面図である。
【図３】（ａ）はキャスターヘッドの模式的な側面断面図、（ｂ）は同図（ａ）のＹ−Ｙ線における模式的な断面図である。
【図４】ガイド部材を示す斜視図である。
【図５】キャスターの動作説明図である。
【図６】同じく、キャスターの動作説明図である。
【考案を実施するための形態】
【００１３】
以下、本考案を実施するための形態について、図１ないし図６を参照しながら説明する。図１は本考案におけるキャスターの模式的な側面断面図、図２は図１のＸ−Ｘ線における模式的な断面図、図３はキャスターヘッドの模式的な断面図、図４はガイド部材を示す斜視図、図５，６はキャスターの動作説明図である。図１，２において、１は本考案の一実施形態のキャスターであり、前記キャスター１は、図１，２に１点鎖線で示す鞄等のボディＢ底面に固定されるベース２と、前記ベース２に回転自在に取付けられるキャスターヘッド３と、前記キャスターヘッド３に回転可能に軸支される車輪５とによって構成されている。図１に示す２ａはベース２から垂下・突出する支軸であり、その基端部はベース２に埋設されている。また、図１及び図３（ａ）に示す３ａはキャスターヘッド３にその垂直方向に沿って穿孔された挿通孔であり、この挿通孔３ａにベース２の支軸２ａを挿通することにより、キャスターヘッド３はベース２に対して回転自在に取付けられる。
【００１４】
図１ないし図３において、４はキャスターヘッド３に付設した緩衝手段である。緩衝手段４は、図１ないし図３で示すように、キャスターヘッド３と一体的に形成した中空状の収納部４１と、前記収納部４１内に収納されるガイド部材４２及び上部，下部の各弾性部材４３，４４によって構成されている。収納部４１の側壁（図３（ｂ）の左右における壁）には、高さ方向（垂直方向）に沿って縦長な長孔４１ａが設けられている。ガイド部材４２は、図４で示すように、水平方向に延びる中空状の円筒部４２ａと、前記円筒部４２ａから直交方向（上下方向）に突設された円柱状の固定部４２ｂ，４２ｃとを備えて略十字状に形成されている。そして、前記ガイド部材４２は、円筒部４２ａの両端を収納部４１側壁の長孔４１ａから外方へ突出させた状態で前記収納部４１内に収納されており、前記長孔４１ａに沿って垂直方向に昇降可能となっている。
【００１５】
上部弾性部材４３はコイルばねからなり、図１，２で示すように、ガイド部材４２上方において、その上端を収納部４１上部から垂設した固定部４１ｂに、下端をガイド部材４２上部の固定部４２ｂにそれぞれ固定した状態で伸縮可能に介挿されている。また、下部弾性部材４４は、上部弾性部材４３よりも寸法の短いコイルばねからなり、図１，２で示すように、ガイド部材４２下方において、その上端をガイド部材４２下部の固定部４２ｃに、下端を収納部４１下部から上向きに突設した固定部４１ｃにそれぞれ固定した状態で伸縮可能に介挿されている。即ち、ガイド部材４２は、上部及び下部弾性部材４３，４４によって上下方向から支承された状態で収納部４１内に収納され、前記上部及び下部弾性部材４３，４４の弾性力によるつり合いが取れた位置において保持される。なお、前記上部及び下部弾性部材４３，４４としては、コイルばねを用いるのが最も好ましいが、下部弾性部材４４は、上部弾性部材４３の弾性力により下方に付勢されるガイド部材４２を緩衝的に受け止めることが可能であれば、コイルばね以外の部材（例えばゴム等）を用いるようにしてもよい。
【００１６】
なお、車輪５が固定される車軸５ａを、上部及び下部弾性部材４３，４４によって上下方向から支承されるガイド部材４２の円筒部４２ａに回転可能に挿通することにより、前記車輪５はキャスターヘッド３に対し回転可能に、かつ緩衝的に軸支される。
【００１７】
次に、本考案の作用について説明する。はじめに、床面や路面等が平坦な場合においては、図１，２で示すように、キャスター１の車輪５は上部及び下部弾性部材４３，４４の弾性力によるつり合いが取れた位置に保持されている。一方、図５，６で示すように、床面や路面等に凹凸（段差）がある場合には、車輪５が段部Ｄに乗り上げると、当該車輪５が固定される車軸５ａを挿通したガイド部材４２は、収納部４１側壁に設けた長孔４１ａに沿って前記段部Ｄの高さｔだけ上方へ移動する。これに伴って、前記ガイド部材４２下部に介挿した下部弾性部材４４が弾性力により伸長し、かつ、ガイド部材４２上部に介挿した上部弾性部材４３が弾性力に抗して収縮することにより振動が吸収される結果、鞄等に振動が伝播するのを防ぐことができる。
【００１８】
また、車輪５が段部Ｄを乗り越えると、当該車輪５が固定される車軸５ａを挿通したガイド部材４２は、その上部に介挿した上部弾性部材４３が収縮した状態から元の状態まで伸長し、かつ、下部に介挿した下部弾性部材４４が伸長した状態から元の状態まで収縮することにより、収納部４１側壁に設けた長孔４１ａに沿って下方へ移動し、図１，２で示すように、上部及び下部弾性部材４３，４４の弾性力によるつり合いが取れた位置へと復帰する。この際、ガイド部材４２の下部には下部弾性部材４４が介挿されているため、この下部弾性部材４４が緩衝材となり、ガイド部材４２が長孔４１ａの底部に衝突して騒音が発生するのを確実に防ぐことができる。
【００１９】
その上、車輪５が固定される車軸５ａは、ガイド部材４２の円筒部４２ａに挿通されているので、前記ガイド部材４２を上下方向において支承している上部及び下部弾性部材４３，４４とは直接接触することがない。従って、移動走行時に、前記車軸５ａと上部及び下部弾性部材４３，４４との接触により摺接音が発生するのを防ぐことができる。更に、ガイド部材４２には、上部及び下部弾性部材４３，４４が固定される固定部４２ｂ，４２ｃが突設されているので、前記ガイド部材４２は上部及び下部弾性部材４３，４４によって左右方向への揺動を防いだ状態で支承される結果、前記ガイド部材４２に挿通した車軸５ａに固定される車輪５が移動走行中に揺動するのを防ぐことができる。
【００２０】
以上説明したように、本考案においては、鞄等の移動走行時、キャスター１の車輪５が段部Ｄに乗り上げると、前記車輪５が固定される車軸５ａを挿通したガイド部材４２は、緩衝手段４の収納部４１側壁に設けた長孔４１ａに沿って上方へ移動し、これにより上部弾性部材４３が収縮して振動が吸収されるので、前記振動が鞄等に伝播するのを確実に防ぐことができるとともに、車輪５が段部Ｄを乗り越えると、前記車輪５が固定される車軸５ａを挿通したガイド部材４２は、上部弾性部材４３の弾性力により下方へ付勢され、元の位置に復帰するが、下部弾性部材４４により緩衝的に受け止められるので、前記ガイド部材４２が長孔４１ａの底面に衝突して騒音が発生するのを良好に阻止できる。
【００２１】
また、前記車輪５が固定される車軸５ａは、上部及び下部弾性部材４３，４４によって上下方向から支承されたガイド部材４２の円筒部４２ａに回転可能に挿通されているので、前記上部及び下部弾性部材４３，４４と車軸５ａとが直接接触するのを阻止して、車輪５の回転時に摺接音が発生するのを防ぐことができる。更に、ガイド部材４２には、上部及び下部弾性部材４３，４４が固定される固定部４２ｂ，４２ｃが設けられているので、前記ガイド部材４２は、上部及び下部弾性部材４３，４４により左右方向への揺動を防いだ状態で支承される結果、ガイド部材４２に挿通した車軸５ａに固定される車輪５が、移動走行中に揺動するのを防ぐことが可能となる。
【００２２】
なお、本考案においては、ベース２に基端部を埋設した支軸２ａに対し、キャスターヘッド３を回転自在に取付けたキャスター１に実施した場合を一例として説明したが、これに限定されるものではなく、例えば、ベースを有することなく、支軸を直接鞄等のボディ底面に固定可能としたキャスターに実施した場合でも同様の効果を発揮する。また、本考案においては、双輪式のキャスター１に実施した場合を一例として説明したが、これに限定されるものではなく、例えば、単輪式のキャスター等に実施した場合でも同様の効果を発揮する。
【産業上の利用可能性】
【００２３】
本考案は、鞄等のみならず、台車等の各種移動手段にも適用することが可能である。
【符号の説明】
【００２４】
１  キャスター
２  ベース
２ａ  支軸
３  キャスターヘッド
３ａ  挿通孔
４  緩衝手段
５  車輪
５ａ  車軸
４１  収納部
４１ａ  長孔
４１ｂ，４１ｃ  固定部
４２  ガイド部材
４２ａ  円筒部
４２ｂ，４２ｃ  固定部
４３  上部弾性部材
４４  下部弾性部材
【図１】
0003176328.tif 000003
【図２】
0003176328.tif 000004
【図３】
0003176328.tif 000005
【図４】
0003176328.tif 000006
【図５】
0003176328.tif 000007
【図６】
0003176328.tif 000008